(57)【要約】      （修正有）【課題】装着してもほぼ自然な呼吸を維持することができるとともに、自力による脊柱起立筋収縮と、吸気により胸郭を押し上げることの併用効果によって、脊柱を伸展させることができ、さらに、能動的脊柱起立筋収縮と、吸気、呼気を繰り返す呼吸運動によって、胸郭の押し上げが繰り返されることで、無理なく背筋や呼吸筋などの筋肉を強化することができる脊柱治療用コルセットを提供する。【解決手段】柔軟かつ低伸縮な素材で形成され、身体の体幹Ａに、胸部Ｂ・腹部Ｄおよび脊柱Ｃ周辺を覆うように巻き付けられる装着布２と、胸郭Ｂ’正中直下に位置して、装着布内側に胸郭に沿って取り付けられる軟膨縮体３，４とを備え、吸気による腹部の拡張が軟膨縮体を押し上げる力と、装着布による軟膨縮体を押さえる力の合成力が、胸郭を押し上げる方向の力を生むことにより、脊柱の伸展を補助する。【選択図】図３
2010000196.tif 000002
【特許請求の範囲】
【請求項１】
柔軟かつ低伸縮な素材で形成され、身体の体幹に、胸・腹部および脊柱周辺を覆うように巻き付けられる装着布と、
上腹部で胸郭正中直下に位置して、該装着布内側に胸郭下縁に沿って取り付けられる軟膨縮体とを備え、
吸気による腹部の拡張が該軟膨縮体を押し上げる力と、該装着布による軟膨縮体を押さえる力の合成力が、胸郭を押し上げる方向の力を生むことにより、脊柱の伸展を補助することを特徴とする脊柱治療用コルセット。
【請求項２】
前記装着布の内側には、前記軟膨縮体の左右両側に、伸展させた脊柱を支持するための一対の支持軟膨縮体が脊柱方向に沿って取り付けられることを特徴とする請求項１に記載の脊柱治療用コルセット。
【請求項３】
前記装着布の内側には、脊柱後面の正中周辺に位置して、吸気による腹部の拡張に伴う胸郭の押し上げによる脊柱伸展を補助する補助軟膨縮体が取り付けられることを特徴とする請求項１又は２に記載の脊柱治療用コルセット。
【請求項４】
柔軟かつ低伸縮な素材で形成され、身体の体幹に、胸・腹部および脊柱周辺を覆うように巻き付けられる装着布と、
左右それぞれの側腹部に位置して、体幹の長軸方向に沿って取り付けられることで脊柱を支持する一対の支持軟膨縮体とを備えることを特徴とする脊柱治療用コルセット。
【発明の詳細な説明】
【技術分野】
【０００１】
本発明は、身体束縛度が軽度で、装着しても自然な呼吸を維持することができるとともに、自力により脊柱を伸展させ、且つ伸展位を維持することができる脊椎治療用コルセットに関する。
【背景技術】
【０００２】
従来、内側に空気袋が取り付けられるコルセットとして、例えば特許文献１が知られている。
【０００３】
特許文献１のコルセットは、背部側および左右前側とから構成され、その内部に、特性ゴムの空気袋を貼り付け、空気袋内の空気圧を調整させて、当該コルセットの締め付け力を適正に維持できるようにしている。また、空気袋は、背部側、左右前側のそれぞれに上下に分割させて取り付けられている。これにより、吸気時（胸部が拡大する時）に上部側の空気袋内の空気を、下部側の空気袋に移動し、呼気時には、逆に下側空気袋内の空気を、上部空気袋に移動していることで、適切な呼吸換気量を確保することができる。
【特許文献１】特開２００３−６１９９４号公報
【発明の開示】
【発明が解決しようとする課題】
【０００４】
ところで、加齢やその他の原因により、脊柱が後弯および／あるいは側弯する脊柱弯曲症の治療においてもコルセットは用いられる。例えば、人の加齢性変化は、脊柱では椎骨の楔状変形（椎骨の前方が低くなる変形）と脊柱起立筋の筋力低下をもたらす。このため脊柱には後弯変形（円背など）が発生し、背・腰部痛、内蔵圧迫性障害、身体動作障害などの原因となる。
【０００５】
脊柱を伸展させる原動力は脊柱起立筋によるが、加齢性脊柱弯曲症では脊柱起立筋の力が著しく低下し、脊柱伸展力が不足している。脊柱伸展力を補助するために、従来は体幹前方より脊柱方向への他動的圧迫力で、必要な矯正・固定力を得るための硬性コルセットが用いられてきた。
【０００６】
しかし、硬性コルセットは呼吸や身体活動を束縛すると同時に筋・骨の委縮を招くなどの欠点がある（本文ではこれらの欠点を副障害と呼称する）。硬性コルセットを用いない治療法としては手術療法があるが、高齢者には侵襲が大きい。また、硬性コルセットや手術療法は軽症には侵襲が大き過ぎ、適応とならない。身体への副障害が少なく、軽症から用いることができ、且つ重症に移行するのを防止するのに適した治療法が存在しないのが現状である。
【０００７】
本発明はこれらの点に着目し、上記従来の課題を解決すべく創案されたものであって、素材が軟性であっても硬性コルセットに匹敵する脊柱変形矯正力を持ち、装着してもほぼ自然な呼吸を維持することができるとともに、吸気による胸郭を押し上げる力を産出する効果と、自力による脊柱伸展作用を補助する効果との合併効果で脊柱を伸展させることが可能であり、さらに、吸気、呼気を繰り返す呼吸運動で、胸郭の押し上げを繰り返すことによって、自力による能動的脊柱伸展運動が繰り返されることができ、無理なく呼吸筋や背筋などの筋肉を強化することができる脊椎治療用コルセットを提供することを目的とする。
【課題を解決するための手段】
【０００８】
本発明にかかる脊柱治療用コルセットは、柔軟かつ低伸縮な素材で形成され、身体の体幹に、胸・腹部および脊柱周辺を覆うように巻き付けられる装着布と、上腹部で胸郭正中直下に位置して、該装着布内側に胸郭下縁に沿って取り付けられる軟膨縮体とを備え、吸気による腹部の拡張が該軟膨縮体を押し上げる力と、該装着布による該軟膨縮体を押さえる力の合成力が、胸郭を押し上げる方向の力を生むことにより、脊柱の伸展を補助することを特徴とする。
【０００９】
前記装着布の内側には、前記軟膨縮体の左右両側に、伸展させた脊柱を支持するための一対の支持軟膨縮体が脊柱方向に沿って取り付けられることを特徴とする。
【００１０】
前記装着布の内側には、脊柱後面の正中周辺に位置して、吸気による腹部の拡張に伴う胸郭の押し上げによる脊柱伸展を補助する補助軟膨縮体が取り付けられることを特徴とする。
【００１１】
また、本発明にかかる脊柱治療用コルセットは、柔軟かつ低伸縮な素材で形成され、身体の体幹に、胸・腹部および脊柱周辺を覆うように巻き付けられる装着布と、左右それぞれの側腹部に位置して、体幹の長軸方向に沿って取り付けられることで脊柱を支持する一対の支持軟膨縮体とを備えることを特徴とする。
【発明の効果】
【００１２】
本発明にかかる脊柱治療用コルセットにあっては、装着してもほぼ自然な呼吸を維持することができるとともに、吸気によって胸郭を押し上げる力を産生する機能を持ち、自力（能動的背筋収縮）による脊柱伸展作用を補助することで、脊柱伸展を容易にすることができる。さらに、吸気、呼気を繰り返す呼吸運動で、胸郭の押し上げを繰り返すことによって、自力による脊柱伸展運動を繰り返すことができ、無理なく呼吸筋や背筋などの筋肉を強化することができる。
【発明を実施するための最良の形態】
【００１３】
以下に、本発明にかかる脊柱治療用コルセットの第１実施形態を、添付図面を参照して詳細に説明する。
【００１４】
本実施形態にかかわる諸項目のうち、体幹Ａ区分と体幹Ａにおける軟膨縮体の位置を図１、２、および図１３、１４に示し、脊柱治療用コルセット１の全体構造を図３、４、５に、部分構造を図６、７、８および図１１、１２に、脊柱変形矯正機序を図９、１０に示す。
【００１５】
本実施形態にかかる脊柱治療用コルセット１は基本的には、柔軟かつ低伸縮な素材で形成され、身体の体幹Ａに、胸部Ｂ、腹部Ｄおよび脊柱Ｃを覆うように巻き付けられる装着布２と、胸郭Ｂ’正中直下に位置して、装着布２内側に胸郭Ｂ’下縁に沿って取り付けられる軟膨縮体を備える。軟膨縮体は空気袋３で形成される。吸気による腹部Ｄの拡張が空気袋３を押し上げる力と、装着布２による空気袋３を押さえる力の合成力が、胸郭Ｂ’を押し上げる方向の力を生むことにより、脊柱Ｃの伸展を補助する作用を持つ。なお、胸郭Ｂ’とは、胸椎、肋骨、胸骨に囲まれた骨性構造体である。
【００１６】
装着布２の内側には、空気袋３の左右両側に、伸展させた脊柱Ｃを支持する一対の支持軟膨縮体が脊柱Ｃ方向に沿って取り付けられる。支持軟膨縮体は、支持用空気袋４で形成される。
【００１７】
装着布２の内側には、脊柱Ｃ後面の正中周辺に位置して、吸気による腹部Ｄの拡張に伴う胸郭Ｂ’の押し上げによる脊柱Ｃ伸展を補助する補助軟膨縮体が取り付けられる。補助軟膨縮体は、補助用空気袋５ａ、５ｂで形成される。
【００１８】
以下に、軟膨縮体として空気袋３を用いた場合を解説する。
【００１９】
図３に示す脊柱治療用コルセット１には、装着布２の内側に、空気袋３と、一対の支持用空気袋４と、２つの補助用空気袋５ａ、５ｂが配設されている。図４は、広げた状態の装着布２の外面図が示され、図５は、広げた状態の装着布２の内面図が示されている。
【００２０】
装着布２は、折り曲げ自在な柔軟かつ低伸縮性の生地で形成される。ここで、低伸縮性の生地とは、伸縮性が全くない生地から、例えば、合成繊維やコットンなどで伸縮の少ない織りに仕上げたものなど、伸縮性が少ない生地までを総称したものである。
【００２１】
装着布２の巾は、胸部Ｂ及び腹部Ｄの全体（乳房上部から骨盤まで）を覆う程度に形成される。装着布２の長さは、体幹Ａに胸部Ｂおよび脊柱Ｃを覆うように巻き付けられて、その両端部２ａ、２ｂが互いに重ね合わされる程度に形成される。重ね合わされた装着布２の両端部２ａ、２ｂには、装着布２を体幹Ａに巻き付けた状態で固定する固定部６が取り付けられる。図示例にあっては、固定部６は、装着布２の一端部２ａの内面に形成された第１固定部６ａと、装着布２の他端部２ｂの外面に形成される第２固定部６ｂとから構成されている。具体的には、第１固定部６ａは、面ファスナーの雄面または雌面のどちらか一方で形成され、これにかみ合う面ファスナー雌面または雄面によって第２固定部６ｂが構成される。
【００２２】
体幹Ａに巻き付けられた装着布２の第１固定部６ａと第２固定部６ｂとを互いに密着させることによって、装着布２は、体幹Ａ周りに着脱自在に固定される。装着布２には、脊柱Ｃに沿って装着布２の上方を延出させた背当て部８が形成される。
【００２３】
装着布２の内側には、両端部２ａ、２ｂを残してほぼ全面に、空気袋３、支持用空気袋４、補助用空気袋５ａ、５ｂを取り付けるための取付面７が形成される。図示例にあっては、取付面７は、一枚布の面ファスナーの雄面または雌面が、縫製や接着剤などによって装着布２の内側に接着されて形成される。
【００２４】
図６は、空気袋３の斜視図、図７は支持用空気袋４の斜視図、図８は補助用空気袋５ａ、５ｂの斜視図である。空気袋３は、中に空気が充填される中空の袋体であって、その外側には、空気を充填するチューブ状の注入口９が配設される。注入口９の先端部には、注入した空気を封止する封止栓１０が設けられる。空気袋３は、充填された空気を密閉するべく気密性素材で袋状に形成される。空気袋３は、例えばナイロン生地の内側にウレタン樹脂を塗布して気密加工処理を施し、さらにその外側に、プラスチック材のような硬質な生地素材を重ね合わせるなどして形成される。しかしながら、空気袋３の材質はこれに限られず、どのような材質であってもよい。
【００２５】
支持用空気袋４、補助用空気袋５ａ、５ｂも空気袋３と同様の材質で、中に空気が充填される中空の袋状に形成される。これら支持用空気袋４、補助用空気袋５ａ、５ｂの外側にも、空気袋３と同様のチューブ状の注入口９が配設され、注入口９の先端部には、封止栓１０が設けられる。
【００２６】
空気袋３の外面には、その長軸方向に沿って、空気袋３を取付面７に取り付けるための取付部１１が形成される。取付部１１は、取付面７の面ファスナーの雄面または雌面にかみ合う、雌面または雄面が接着されて形成される。取付部１１と取付面７を密着させることで、空気袋３が装着布２に着脱自在に取り付けられる。
【００２７】
また、支持用空気袋４および補助用空気袋５ａ、５ｂの外面にも、その長軸方向に、取付部１１が形成される。支持用空気袋４および補助用空気袋５ａ、５ｂの取付部１１の構成も、空気袋３の取付部１１と同様である。
【００２８】
図１は、脊柱治療用コルセット１を体幹Ａに巻き付けた状態を表す正面図である。図２は、脊柱治療用コルセット１を体幹Ａに巻き付けた状態を表す側面図である。
【００２９】
装着布２の内側には、胸郭Ｂ’正中直下に位置して、棒状の空気袋３が体幹Ａの横軸方向に胸郭Ｂ’下縁に沿うように取り付けられる。空気袋３は、脊柱を伸展させるために、吸気による腹部Ｄの拡張に伴って、装着布２に保持されながら、空気袋３が吸気で膨らんだ胸郭Ｂ’を押し上げる。具体的には、図示例のように、空気袋３は、装着布２によって体幹Ａの腹部Ｄと胸郭Ｂ’との間に当接するように配設される。このため、吸気によって腹部Ｄが膨張することにより、空気袋３は装着布２の反力を取って腹部Ｄとともに、胸郭Ｂ’を押し上げ、脊柱Ｃを伸展させる。
【００３０】
装着布２の内側には、体幹Ａの前面で空気袋３の左右両側に位置して、脊柱Ｃを支持する一対の支持用空気袋４が体幹Ａの長軸方向に沿って取り付けられる。これら支持用空気袋４は、胸上部（乳房高位）から骨盤に亘る長さで形成される。支持用空気袋４は、体幹Ａに巻き付けられた装着布２内側に、左右側腹部に当接するように取り付けられる。左右側腹部に支持用空気袋４を取り付けることで、支持用空気袋４は、腹部Ｄから胸郭Ｂ’を支えて、空気袋３による胸郭Ｂ’の押し上げを補助するとともに、脊柱Ｃを矯正位に支える。
【００３１】
装着布２の内側には、補助用空気袋５ａ、５ｂが取り付けられる。図示例にあっては、補助用空気袋５ａ、５ｂは、脊柱Ｃ後弯の頂点部ｅに当接するように、装着布２の背当て部８中央に取り付けられる第１補助用空気袋５ａ、と脊柱Ｃ後弯の終点部ｆ（一般に下位胸椎から上位腰椎部）に当接するように、これに面して装着布２に取り付けられる第２補助用空気袋５ｂで構成されている。
【００３２】
例えば、補助用空気袋５ａ、５ｂは、図９のように、脊柱Ｃが後弯した患者には、後方に突出した頂点部ｅと、前方に窪んだ後弯終点部ｆに当接するように取り付けられる。これにより、補助用空気袋５ａ、５ｂは、腹部Ｄの拡張に伴う胸郭Ｂ’の押し上げによる後弯矯正を補助し、自力による能動的脊柱起立筋収縮、および呼吸運動に伴う空気袋３を介した脊柱伸展運動に際し、矯正支点として作用する。
【００３３】
空気袋３によって胸郭Ｂ’が押し上げられることに伴って、補助用空気袋５ａ、５ｂも装着布２に反力をとって脊柱Ｃの頂点部ｅおよび後弯終点部ｆを押圧する。これにより胸郭Ｂ’の押し上げによる後弯矯正の支点となり、脊柱Ｃの伸展を補助する。
【００３４】
次に、本発明にかかる脊柱治療用コルセット１の作用機序について説明する。脊柱治療用コルセット１は、脊柱変形の治療用コルセットとして、特に加齢による脊柱変形の治療用コルセットとして使用される。装着するに際しては、空気袋３に空気を充填する。そして、装着布２の取付面７に、上腹部で胸郭Ｂ’の正中直下に位置するように、空気を充填した空気袋３を取り付ける。支持用空気袋４および補助用空気袋５ａ、５ｂについても、装着布２の取付面７に、それぞれ左右側腹部、脊柱後弯頂点部ｅおよび終点部ｆに当接するように位置させて取り付ける。そして、体幹Ａに装着布２を巻き付け、固定部６で固定する。
【００３５】
請求項１に記載の発明にあっては、装着布２に空気袋３を取り付けた状態で、体幹Ａに装着される。このため、吸気による腹部Ｄの拡張により、これと空気袋３とが協働して胸郭Ｂ’を押し上げ脊柱Ｃが伸展・矯正される。そして、呼吸を繰り返すことでで、この脊柱伸展運動が繰り返されることによって、患者は、呼吸筋および背筋などの筋肉を鍛えながら、無理なく変形した脊柱Ｃの矯正治療を行うことができる。
【００３６】
これにより、装着してもほぼ自然な呼吸を維持することができるとともに、吸気によって胸郭Ｂ’を押し上げる力を産生する機能を持ち、自力（能動的背筋収縮）による脊柱Ｃ伸展作用を補助することで、脊柱Ｃ伸展を容易にすることができる。さらに、吸気、呼気を繰り返す呼吸運動で、胸郭Ｂ’の押し上げを繰り返すことによって、自力による脊柱Ｃ伸展運動を繰り返すことができ、無理なく呼吸筋や背筋などの筋肉を強化することができる。
【００３７】
呼吸による胸腔（胸部Ｂ）、腹腔（腹部Ｄ）の膨張力だけでは、それぞれの腔が独立的存在にあり、脊柱Ｃ伸展・後弯矯正の補助効果は少ない。しかし、空気袋３により両者を連結し、腹腔（腹部Ｄ）膨張力が空気袋３を介して胸郭Ｂ’を押し上げるようにすることで、前方からの脊柱Ｃ伸展・矯正力を増強させることが可能となる。また、これらの目的を達成させるための素材は、全て軟性素材で可能である。
【００３８】
胸腔（胸部Ｂ）、腹腔（腹部Ｄ）の二者はその内圧を介して、脊柱Ｃの前方支持効果と腰椎にかかる体重の部分的バイパス効果を有し、荷重が原因となる脊椎変性による機能障害ならびに疼痛に対する治療・予防効果を持つことが知られている。本発明にあっては、上記二者に加え、空気袋３を用いて胸腔（胸部Ｂ）、空気袋３、腹腔（腹部Ｄ）の三者の連続体を作れば、これらの効果はさらに高まることが期待される。
【００３９】
請求項２に記載の発明にあっては、例えば筋力の弱い患者などに用いられる。この場合、上記の空気袋３に加えて、装着布２に支持用空気袋４を一対取り付けて体幹Ａに装着する。伸展した脊柱Ｃの矯正位を、支持用空気袋４によって維持することができる。これにより、支持用空気袋４は、前傾した患者の側腹部を支え、患者は、脊柱Ｃが伸展した状態を維持しながら、より軽い力でスムーズに呼吸による胸郭Ｂ’の押し上げ運動を行うことができ、ひいては軽い力で脊柱Ｃの曲げ伸ばし運動ができることとなる。
【００４０】
また、呼気により胸郭Ｂ’および腹部Ｄの容積の縮小が生じても、前正中支持の空気袋３、および、前側方支持の支持用空気袋４によって、矯正された脊柱Ｃ弯曲が元に戻らないようにすることができる。
【００４１】
請求項３に記載の発明にあっては、自力による矯正効果をさらに高めたい場合などに用いられる。この場合、空気袋３、若しくは空気袋３および支持用空気袋４に加えて、空気袋３による胸郭Ｂ’押し上げ運動の補助として、補助用空気袋５ａ、５ｂが装着布２に取り付けられる。これにより、吸気にともない空気袋３が胸郭Ｂ’を押し上げることに加え、補助用空気袋５ａ、５ｂが脊柱Ｃ後弯の頂点部ｅや終点部ｆを押圧し、脊柱Ｃを伸展させる際の支点としての機能を果たし、より効果的な脊柱Ｃの伸展が可能となる。なお、ここでいう、頂点部ｅや終点部ｆの位置は固定的なものではなく、患者の症状によって適宜変位するものである。
【００４２】
本実施形態では、第１補助用空気袋５ａは脊柱Ｃ後弯の頂点部ｅに、第２補助用空気袋５ｂは脊柱Ｃ後弯の終点部ｆにそれぞれ当接するように取り付けられている。しかしながら、これらの取付位置および数は、患者の症状にあわせて適宜変更されるものである。
【００４３】
例えば、図１０に示すように、脊柱Ｃが側方に弯曲した患者などには、装着布２の内側に、側腹部の側方に突出した頂点部ｇに当接する位置に、第１補助用空気袋５ａ’、および、側弯終点部ｈに当接する位置に、第２補助用空気袋５ｂ’が取り付けるようにする。
【００４４】
さらに、例えば脊柱Ｃ後弯変形に加えて脊柱Ｃ側弯変形が存在する場合には、後弯頂点部ｅ、および後弯終点部ｆ位置に、補助用空気袋５ａおよび５ｂを取り付けたうえで、側腹部の側弯頂点部ｇおよび側弯終点部ｈの位置に、側弯変形治療用の第１補助用空気袋５ａ’および５ｂ’を装着布２の内面に取り付けるようにする。側弯頂点部ｇおよび側弯終点部ｈに当てたこれらの補助用空気袋５ａ’、５ｂ’は側弯矯正支点として作用する。側弯終点部ｈに当てた補助用空気袋５ｂ’は、この他に、胸郭Ｂ’押し上げ効果および側弯凸側にかかる体重を骨盤にバイパスする効果を有する。この体重バイパスは腰痛軽減に役立つ。
【００４５】
本実施形態にあっては、空気袋３、支持用空気袋４、補助用空気袋５ａ、５ｂの膨縮度および剛性度は、これらに注入する空気の量を適宜に変更することで患者自身が調整することができる。これにより空気袋３、支持用空気袋４、補助用空気袋５ａ、５ｂ自体を変えずに、進行度や症状にあわせた脊柱Ｃ矯正が可能となる。
【００４６】
本実施形態では、固定部６ａ、６ｂは面ファスナーで構成されていた。しかしながら、固定部６ａ、６ｂは、面ファスナーで構成されなくても良く、例えば、装着布２の両端部２ａ、２ｂに取り付けられたバンドおよびバックルで構成され、これらバンドおよびバックルを締め付けることにより固定してもよい。
【００４７】
本実施形態では、取付面７は、一枚布の面ファスナーで構成されていたが、例えばテープ状の面ファスナーを、取付面７に適宜間隔をおいて、縦或いは横方向に接着するなどしても良い。また、装着布２にポケットを配設し、空気袋３、支持用空気袋４、補助用空気袋５ａ、５ｂ（５ａ’、５ｂ’）を、ポケットの中に挿入して取り付けるような形態としてもよい。
【００４８】
本実施形態では、装着布２に背当て部８を形成したが、背当て部８を形成しない腹巻形状にしてもよい。また、装着布２は、一枚の布で形成されていたが、これに限らず複数枚の布を繋ぎあわせて形成しても良い。
【００４９】
次に、本実施形態にかかる脊柱治療用コルセット１の第１変形例を説明する。当該変形例では、図１１に示すように、装着布２は、折り曲げ自在な柔軟かつ低伸縮性のメッシュ生地で形成される。これにより、通気性に優れ長時間の使用においてもムレずに肌への負担を少なくできる。
【００５０】
次に、本実施形態にかかる脊柱治療用コルセット１の第２変形例を説明する。当該変形例では、図１２に示されるサスペンダー１２が、装着布２に着脱自在に取り付けられる。サスペンダー１２の４つの端部には、第１係合部１３が形成される。図示例にあっては、第１係合部１３は、面ファスナーの雄型または雌型で構成される。他方、装着布２の外面には、背当て部８の下部から下方に向かって第２係合部１４が形成される。第２係合部１４は、第１係合部１３の面ファスナーにかみ合う面ファスナーで構成される。また、装着布２には、装着布２を巻き付けた状態で側腹部に位置して、一対の第３係合部１５が形成される。第３係合部１５は、装着布２の上端から延設させてそれぞれ形成される。第３係合部１５は、その外面に第１係合部１３の面ファスナーにかみ合う面ファスナーで形成される。第２係合部１４、第３係合部１５に第１係合部１３を密着させることによって、サスペンダー１２が装着布２に取り付けられる。
【００５１】
また、装着布２をサスペンダー１２で吊す形態の他に、図示はしないが、装着布２自体をＴシャツ型、シャツ型、もしくはベスト型に形成し、この内側に空気袋３、支持用空気袋４、補助用空気袋５ａ、５ｂを取り付けるようにしても良い。
【００５２】
次に、本実施形態にかかる脊柱治療用コルセット１の第３変形例を説明する。当該変形例では、図１３に示されるように、装着布２は、胸郭Ｂ’正中直下を覆い、且つ上下方向の長さの短い、細長のベルト状に形成される。脊柱Ｃ矯正治療に対し、患者が空気袋３のみが必要な場合などに用いられる。
【００５３】
次に、本実施形態にかかる脊柱治療用コルセット１の第４変形例を説明する。当該変形例は、装着布２を２枚構造にしたものである。図１４に示すように、装着布２はベスト型に形成される。具体的には、装着布２は内部装着布２１と、内部装着布２１の上に重ね合わせて着用する外部装着布２２とで構成される。内部装着布２１および外部装着布２２には、それぞれ固定部６ａ、６ｂが形成される。
【００５４】
空気袋３は、内部装着布２１と外部装着布２２との間に配設される。具体的には、内部装着布２１の外面には、着脱自在に取り付ける取付面７が形成されており、空気袋３は、これに形成された取付部１１を介して取付面７に取り付けられる。取付面７は、固定部６を残した全面に形成されるか、若しくは、縦方向および横方向に適宜間隔をおいて形成されるなど様々な形状に形成される。取付面７は、面ファスナーの雄面または雌面が、縫製や接着剤などによって、装着布２の内側に接着されて形成される。空気３、取付面７に取り付けるほかに、ポケットを内部装着布２１の外側に配設して、この内部に挿入するによって取り付けてもよい。
【００５５】
また、支持用空気袋４、補助用空気袋５ａ、５ｂについても、上記空気袋３と同様に、内部装着布２１と外部装着布２２との間に配設される。
【００５６】
外部装着布２２は、内部装着布２１の取付面７に取り付けられた空気袋３、支持用空気袋４、補助用空気袋５ａ、５ｂを、内部装着布２１の取付位置に保持するために形成される。
【００５７】
本変形例は、装着布２が２枚構造であるため、脊柱治療用コルセット１の装着時には、内部装着布２１の外側に空気袋３、若しくは支持用空気袋４、補助用空気袋５を取り付け、その上に、外部装着布２２を着用すればよい。このため、これらの取付作業および取り外し作業が簡易になり、装着時の患者の負担を軽減することができる。
【００５８】
次に、本実施形態にかかる脊柱治療用コルセット１の第５変形例を説明する。本変形例では、装着布２の内側には、空気袋３とともに、発熱袋若しくは冷却袋が取り付けられる（図示しない）。具体的には、発熱袋若しくは冷却袋には、取付部１１が形成される。発熱袋若しくは冷却袋は、その取付部１１を介して取付面７に取り付けられて装着布２に配設される。このほかに、装着布２の内側にポケットを形成し、その内部に発熱袋若しくは冷却袋を挿入させて取り付けても良い。発熱袋は、携帯用カイロや保熱剤を充填した袋で形成される。また、冷却袋は、冷却剤を充填した袋で形成される。発熱袋および冷却袋は、患者の快適のために装着布２の適宜位置に取り付けられる。
【００５９】
次に本実施形態にかかる脊柱治療用コルセット１の第２実施形態を説明する。本実施形態では、図１４に示されるように、柔軟かつ低伸縮な素材で形成され、身体の体幹Ａに、胸部Ｂ・腹部Ｄおよび脊柱Ｃ周辺を覆うように巻き付けられる装着布２と、左右それぞれの側腹部に位置して、体幹Ａの長軸方向に沿って取り付けられることで脊柱Ｃを支持する支持用空気袋４とを備える。  以下、第１実施形態との差異のみを説明する。
【００６０】
第２実施形態にあっては、装着布２の内側には、支持用空気袋４のみが配設されている。配設位置は、上記第１実施形態と同様である。これにより、弯曲した脊柱Ｃを矯正位で維持することが可能となる。
【００６１】
本発明にあっては、空気袋３を利用した、胸郭Ｂ’押し上げによる背筋などの筋力増加を必要とせず、伸展した脊柱Ｃの支持のみが必要な患者に用いられる。これにより、患者の症状にあわせて様々な使い分けが可能となる。なお、本実施形態にあっても、患者の快適のために、発熱袋若しくは冷却袋は、装着布２の適宜位置に着脱自在に取付可能である。
【００６２】
第１および第２実施形態にあっては、軟膨縮体は空気袋３形成されていた。しかしながら、軟膨縮体は、空気袋３に限られず、患者自身がその膨縮を調整でき、適宜な剛性を保持できる素材であればこれに限られない。また、これと同様に、支持膨縮体および補助膨縮体についても、支持用空気袋４および補助用空気袋５には限られない。
【図面の簡単な説明】
【００６３】
【図１】本発明にかかる脊柱治療用コルセットが装着される、身体区分および空気袋、支持用空気袋の位置を示す正面図である。
【図２】本発明にかかる脊柱治療用コルセットが装着される、身体区分および空気袋、支持用空気袋、補助用空気袋の位置を示す側面図である。
【図３】本発明にかかる脊柱治療用コルセットの第１実施形態を示す斜視図である。
【図４】図３の脊柱治療用コルセットの装着布を広げた状態を示す外面図である。
【図５】図３の脊柱治療用コルセットの装着布を広げた状態を示す内面図である。
【図６】図３の脊柱治療用コルセットの空気袋を示す斜視図である。
【図７】図３の脊柱治療用コルセットの支持用空気袋を示す斜視図である。
【図８】図３の脊柱治療用コルセットの補助用空気袋を示す斜視図である。
【図９】図３の脊柱治療用コルセットを装着した状態を示す側面図である。
【図１０】図３の脊柱治療用コルセットで、補助用空気袋を体側方に配置したときの作用を示す正面図である。
【図１１】第１実施形態にかかる脊柱治療用コルセットの第１変形例の装着布を示す斜視図である。
【図１２】第１実施形態にかかる脊柱治療用コルセットの第２変形例に用いるサスペンダーを示す斜視図である。
【図１３】第１実施形態にかかる脊柱治療用コルセットの第３変形例を体幹に装着した状態を示す正面図である。
【図１４】第１実施形態にかかる脊柱治療用コルセットの第４変形例を体幹に装着した状態を示す正面図である。
【図１５】本発明にかかる脊柱治療用コルセットの第２実施形態を示す体幹に装着した正面図である。
【符号の説明】
【００６４】
１    脊柱治療用コルセット
２    装着布
３    空気袋
４    支持用空気袋
５ａ  第１補助用空気袋
５ｂ  第２補助用空気袋
Ａ    体幹
Ｂ    胸部
Ｂ’  胸郭
Ｃ    脊柱
Ｄ    腹部
【図１】
2010000196.tif 000003
【図２】
2010000196.tif 000004
【図３】
2010000196.tif 000005
【図４】
2010000196.tif 000006
【図５】
2010000196.tif 000007
【図６】
2010000196.tif 000008
【図７】
2010000196.tif 000009
【図８】
2010000196.tif 000010
【図９】
2010000196.tif 000011
【図１０】
2010000196.tif 000012
【図１１】
2010000196.tif 000013
【図１２】
2010000196.tif 000014
【図１３】
2010000196.tif 000015
【図１４】
2010000196.tif 000016
【図１５】
2010000196.tif 000017